(57)【要約】【課題】ガス等の被測定流体の警告判定処理中に、その警告事象に関する情報を外部機器や外部ネットワークを通じてセンターに事前に通知できる流量計を提供する。【解決手段】ガスメータ１は、ガスメータ１が取得する各種データ（例えば、電池電圧値，流量値，圧力値など）に基づいて警告事象を判定するマイコン１０ａと、マイコン１０ａにより判定された警告事象に関する情報を警告判定日数経過前に外部へ出力する端子台１５とを備える。端子台１５は、マイコン１０ａが警告判定処理を開始あるいは終了したときに、あるいは、マイコン１０ａによる警告判定開始後であって、警告判定終了前に所定条件を満たしたときに、警告事象に関する情報を外部（宅内操作器，センター）へ出力する。【選択図】図１
2008309616.tif 000002
【特許請求の範囲】
【請求項１】
被測定流体の流量を計測する流量計であって、
前記流量計が取得する各種データに基づいて警告事象を判定する警告判定手段と、該警告判定手段により判定された警告事象に関する情報を警告判定日数経過前に外部へ出力する警告事象情報出力手段とを備えたことを特徴とする流量計。
【請求項２】
前記被測定流体の流量を計測する流量計測手段と、前記被測定流体の圧力を検出する圧力検出手段と、電源としての電池の電圧を検出する電池電圧検出手段とを備え、
前記警告判定手段は、前記流量計測手段による流量値，前記圧力検出手段による圧力値，前記電池電圧検出手段による電池電圧値のいずれかのデータに基づいて警告事象を判定することを特徴とする請求項１に記載の流量計。
【請求項３】
前記警告事象情報出力手段は、前記警告判定手段が警告判定処理を開始あるいは終了したときに、警告事象に関する情報を外部へ出力することを特徴とする請求項１又は２に記載の流量計。
【請求項４】
前記警告事象情報出力手段は、前記警告判定手段による警告判定開始後であって、警告判定終了前に所定条件を満たしたときに、警告事象に関する情報を外部へ出力することを特徴とする請求項１乃至３のいずれか１項に記載の流量計。
【請求項５】
前記警告事象情報出力手段は、警告事象に関する情報の要求信号が外部から入力されると、該要求信号に応じて、前記警告判定手段により判定された警告事象に関する情報を外部へ出力することを特徴とする請求項１乃至４のいずれか１項に記載の流量計。
【請求項６】
前記警告事象は、供給圧力上限値異常の警告、供給圧力下限値異常の警告、閉塞圧力異常の警告、圧力式微少漏洩の警告、流量式微少漏洩の警告、電池電圧低下遮断の警告の少なくとも１つを含むことを特徴とする請求項１乃至５のいずれか１項に記載の流量計。
【発明の詳細な説明】
【技術分野】
【０００１】
本発明は、流量計、より詳細には、各種の警告表示機能を備えたガスメータなどの流量計に関する。
【背景技術】
【０００２】
従来、ガスメータとして、マイコンで制御される所謂マイコンメータが使用されている。このマイコンメータには、予め設定された各種の警告事象の発生を検出し、その検出結果に従って警告表示をＬＣＤ等に表示するようになっている。
【０００３】
ガスメータは、異常警告判定後にＬＣＤ表示と外部機器へ通知を行うため、消費者、センター（ガス事業者）は異常が発生してからの対応しか出来ず、異常の可能性があるにも関わらず対応（診断、予防など）が出来なかった。これは警告判定終了後、警告判定日数経過後に警告が確定し、外部へ報知又は外部へ通信されるためである。また、警告表示を見落としたり、警告通知が届かない等の場合には、異常事態であることが伝わらず、最悪の場合には、ガス漏れ事故を起こす事態にもなりかねない。
【０００４】
これに対して、特許文献１に記載のガスメータの場合、複数の警告事象の警告表示を可能とし、警告事象の発生時点からの期間を継続してカウントし、その継続期間を示す情報を、警告表示より前あるいは後の所定の期間内で表示できるようにしている。
【特許文献１】特開２００６−１７５１４号公報
【発明の開示】
【発明が解決しようとする課題】
【０００５】
しかしながら、上記特許文献１に記載のガスメータの場合、警告判定中の日数表示機能を備えているが、この警告情報を外部に通知することは考慮されていない。このため、消費者やガス事業者等が常時ガスメータを監視（目視）する必要があるが、メータを毎日監視することは現実的ではない。
【０００６】
本発明は、上述のごとき実情に鑑みてなされたものであり、ガス等の被測定流体の警告判定処理中に、その警告事象に関する情報を外部機器（宅内操作器）や外部ネットワークを通じてセンター（ガス事業者）に事前に通知できる流量計を提供すること、を目的とする。
【課題を解決するための手段】
【０００７】
上記課題を解決するために、請求項１の発明は、被測定流体の流量を計測する流量計であって、前記流量計が取得する各種データに基づいて警告事象を判定する警告判定手段と、該警告判定手段により判定された警告事象に関する情報を警告判定日数経過前に外部へ出力する警告事象情報出力手段とを備えたことを特徴としたものである。
【０００８】
請求項２の発明は、請求項１の発明において、前記被測定流体の流量を計測する流量計測手段と、前記被測定流体の圧力を検出する圧力検出手段と、電源としての電池の電圧を検出する電池電圧検出手段とを備え、前記警告判定手段は、前記流量計測手段による流量値，前記圧力検出手段による圧力値，前記電池電圧検出手段による電池電圧値のいずれかのデータに基づいて警告事象を判定することを特徴としたものである。
【０００９】
請求項３の発明は、請求項１又は２の発明において、前記警告事象情報出力手段は、前記警告判定手段が警告判定処理を開始あるいは終了したときに、警告事象に関する情報を外部へ出力することを特徴としたものである。
【００１０】
請求項４の発明は、請求項１乃至３のいずれか１の発明において、前記警告事象情報出力手段は、前記警告判定手段による警告判定開始後であって、警告判定終了前に所定条件を満たしたときに、警告事象に関する情報を外部へ出力することを特徴としたものである。
【００１１】
請求項５の発明は、請求項１乃至４のいずれか１の発明において、前記警告事象情報出力手段は、警告事象に関する情報の要求信号が外部から入力されると、該要求信号に応じて、前記警告判定手段により判定された警告事象に関する情報を外部へ出力することを特徴としたものである。
【００１２】
請求項６の発明は、請求項１乃至５のいずれか１の発明において、前記警告事象は、供給圧力上限値異常の警告、供給圧力下限値異常の警告、閉塞圧力異常の警告、圧力式微少漏洩の警告、流量式微少漏洩の警告、電池電圧低下遮断の警告の少なくとも１つを含むことを特徴としたものである。
【発明の効果】
【００１３】
本発明によれば、ガス等の被測定流体の警告判定処理中に、その警告事象に関する情報を外部機器（宅内操作器）や外部ネットワークを通じてセンター（ガス事業者）に事前に通知できるため、ガスの異常状態の予防、診断が可能となり、事前に安全を確保することができる。
【発明を実施するための最良の形態】
【００１４】
図１は、本発明の一実施形態に係る流量計の構成例を示すブロック図で、一般的なマイコンメータの構成例を示す図でもある。図１において、１は流量計（以下、ガスメータという）、２は外部装置、１０は制御部、１１は計量部、１２はセンサ部、１３は表示部、１４は遮断部、１５は端子台、２１は宅内操作器、２２は網制御装置（以下、ＮＣＵという）、２３はガス漏れ警報器、２４は外部１機器（外部端子１の機器）、２５は外部２機器（外部端子２の機器）であり、１０ａはマイクロコンピュータ（以下、マイコンという）、１０ｂはインタフェース、１０ｃは電池、１０ｅは容器リセットスイッチ、１１ａは計量機能、１２ａは電池電圧検出センサ、１２ｂは流量センサ、１２ｃは圧力センサ、１２ｄは感震器、１３ａは積算表示機能、１３ｂはセキュリティ表示機能、１３ｃはサブカウンタ表示機能、１４ａは遮断弁、１４ｂは遮断弁開スイッチである。
【００１５】
ガスメータ１は、ガスメータ１における各種制御を行う制御部１０、ガス流量を計量する計量部１１、センサ部１２、表示部１３、及び遮断部１４を備え、さらに、外部装置２との接続を行う端子台１５を備える。
【００１６】
計量部１１は、ガス流量に応じた回転体の回転数又は流体振動を出力する計量機能１１ａからなる。また、センサ部１２は、ガス流量やセキュリティに関係する物理量を検出するセンサ類からなり、電池１０ｃの電圧を検出する電池電圧検出センサ１２ａ、計量機能１１ａの出力を検出する流量センサ１２ｂ、ガス圧力低下などガス圧力を検知する圧力センサ１２ｃ、地震波等の振動を検知する感震器１２ｄ等から構成されている。なお、流量センサ１２ｂは、流量を検出するためのセンサで、勿論、流速センサであってマイコン１０ａにて流量を演算するものであってもよいし、流量演算器（流量変換器）を介してマイコン１０ａに流量を送信するものであってもよい。
【００１７】
また、制御部１０は、主として、取り込まれたセンサの信号を演算処理して処理データを収納し、表示部１３に出力したり端子台１５を介して外部に出力するもので、マイコン１０ａ、インタフェース１０ｂ、電源となる電池１０ｃ、遮断弁１４ａが正常に機能するかをテストするためのテスト遮断スイッチ１０ｄ、容器リセットスイッチ１０ｅ等から構成されている。なお、電池１０ｃは少なくとも制御部１０の電源となるものである。また、マイコン１０ａは、流量センサ１２ｂへ命令し流量センサ１２ｂからの流量検出信号に基づいて流量を計測して積算する処理を行う電子制御装置であり、演算処理をするＭＰＵと、それら各手段としてＭＰＵを機能させるためのプログラムを記録し処理データを記録するメモリとで構成される。
【００１８】
また、表示部１３は、制御部１０により処理されたデータを所定のプログラムまたは外部からの指令に従って表示するＬＣＤ（液晶表示部）等の表示装置であり、ガス流量の積算表示機能１３ａ，セキュリティ表示機能１３ｂなどをもっている。また、遮断部１４は、センサ部１２の信号による異常等が生じたとき、制御部１０のマイコン１０ａからの命令により制御弁を遮断するもので、制御弁としての遮断弁１４ａ，遮断弁開スイッチ１４ｂ等とから構成されている。
【００１９】
一方、外部装置２は、端子台１５を介してガスメータ１の外部に接続される機器類であり、例えば、宅内でガスメータ１の操作を行う宅内操作器２１、ガスメータ１との間で発呼、選択信号の送出、切断など電話交換網を制御するＮＣＵ２２、ガスメータ１におけるガス漏れを警報するガス漏れ警報器２３、及びハンディターミナルやＰＣ（パーソナルコンピュータ）等、その他の外部機器（ここでは外部１機器２４及び外部２機器２５）が設けられている。ＮＣＵ２２は、ガスメータ１の通信機能（自動通報、遠隔遮断、自動検針など）を行うためガス検針センターなどとガスメータ１を電話回線で接続する機器であり、電話機とガスメータ１を自動的に切り替えてガスメータ１のデータの送受信を行う。ハンディターミナルやＰＣは、検針器や設定器として用いられるものである。設定器は、設置されているガスメータ１の設定変更や確認などを行う。設定，確認が行われる項目には、継続使用時間設定、口火登録などあるが、ガス事業者の運用形態によりその仕様は決定される。
【００２０】
以上のように構成されたガスメータ１がガスラインに設置され、遮断弁開スイッチ１４ｂがＯＮ（閉路）されると、自己保持により弁開を継続し、ガス流量計測が開始される。内蔵された圧力センサ１２ｃにより検知された圧力データは、制御部１０に取り込まれて演算処理され、定められたプログラムに従って上述した圧力センサ１２ｃに与えられたセキュリティ機能を判断して計測を継続するか、遮断弁を閉止し、警報を発するか等が指令される。現在のガス圧力を計測する場合は、遮断弁開スイッチ１４ｂを押すことにより、所定時間、例えば１０秒間現在のガス圧を表示部１３に表示することができる。
【００２１】
図２は、本発明に係るガスメータ１のネットワークの構成例を示す図である。このように、ガスメータ１はＮＣＵ２２と接続され、ＮＣＵ２２とセンター４とが電話交換網３を介して接続されている。これにより、ガスメータ１とセンター４とが通信可能に接続される。
【００２２】
本発明に係るガスメータ１は、ガスメータ１が取得する各種データ（例えば、電池電圧値，流量値，圧力値など）に基づいて警告事象を判定する警告判定手段に相当するマイコン１０ａと、マイコン１０ａにより判定された警告事象に関する情報を警告判定日数経過前に外部へ出力する警告事象情報出力手段に相当する端子台１５とを備える。この警告事象に関する情報とは、後述する「警告判定開始情報」，「警告判定中情報」，「警告判定終了情報」に相当する。またここでいう外部とは、消費者宅に設置された宅内操作器２１や、センター４に相当する。
【００２３】
端子台１５は、マイコン１０ａが警告判定処理を開始あるいは終了したときに、警告事象に関する情報を外部へ出力する。あるいは、端子台１５は、マイコン１０ａによる警告判定開始後であって、警告判定終了前に所定条件を満たしたときに、警告事象に関する情報を外部へ出力する。ここでいう所定条件とは、例えば、警告判定処理の開始から１０日経過したとき等の場合である。
【００２４】
さらに、端子台１５は、警告事象に関する情報の要求信号が外部から入力されると、要求信号に応じて、マイコン１０ａにより判定された警告事象に関する情報を外部へ出力するようにしてもよい。
【００２５】
なお、上記警告事象は、後述する、供給圧力上限値異常の警告、供給圧力下限値異常の警告、閉塞圧力異常の警告、圧力式微少漏洩の警告、流量式微少漏洩の警告、電池電圧低下遮断の警告の少なくとも１つを含むものとする。
【００２６】
図３は、本発明のガスメータ１が備える警告判定報知機能を実行する際の処理の一例を説明するためのフロー図である。
まず、ガスメータ１は、警告判定の開始を判定し（ステップＳ１）、警告判定開始ではないと判定された場合（ＮＯの場合）、ステップＳ１での処理を繰り返す。一方、警告判定開始と判定された場合（ＹＥＳの場合）、警告通知の有無を判定する（ステップＳ２）。ここで、警告通知があれば（通知有りの場合）、外部機器やセンターへ「警告判定開始情報」を通知する（ステップＳ３）。また、警告通知がなければ（通知無しの場合）、警告判定中を判定する（ステップＳ４）。この警告判定開始情報には、警告判定開始の情報だけでなく、ガスメータ１が現在どの警告事象に該当して監視しているか等の情報も含まれる。
【００２７】
次に、ガスメータ１は、ステップＳ４において、警告判定中ではないと判定された場合（ＮＯの場合）、ステップＳ４での処理を繰り返す。一方、警告判定中と判定された場合（ＹＥＳの場合）、警告通知の有無を判定する（ステップＳ５）。ここで、警告通知があれば（通知有りの場合）、外部機器やセンターへ「警告判定中情報」を通知する（ステップＳ６）。また、警告通知がなければ（通知無しの場合）、警告判定終了を判定する（ステップＳ７）。この警告判定中情報には、警告判定中の情報だけでなく、ガスメータ１が現在どの警告事象に該当して監視しているか等の情報も含まれる。
【００２８】
次に、ガスメータ１は、ステップＳ７において、警告判定終了ではないと判定された場合（ＮＯの場合）、ステップＳ７での処理を繰り返す。一方、警告判定終了と判定された場合（ＹＥＳの場合）、警告通知の有無を判定する（ステップＳ８）。ここで、警告通知があれば（通知有りの場合）、外部機器やセンターへ「警告判定終了情報」を通知する（ステップＳ９）。また、警告通知がなければ（通知無しの場合）、警告判定日数の経過を判定する（ステップＳ１０）。この警告判定終了情報には、警告判定終了の情報だけでなく、ガスメータ１が現在どの警告事象に該当して監視しているか等の情報も含まれる。
【００２９】
次に、ガスメータ１は、ステップＳ１０において、警告判定日数が経過した場合（経過の場合）、ガスメータ１の表示部に「警告」を表示すると共に、外部機器やセンターに「警告」を通知する（ステップＳ１１）。一方、警告判定日数が経過していない場合（未経過の場合）、ステップＳ２に戻り処理を繰り返す。
【００３０】
従来、ステップＳ１０〜Ｓ１１の処理、すなわち、警告判定日数経過後に警告の表示や通知を行っていた。これに対して、本発明のガスメータ１は、さらにステップＳ１〜Ｓ９の処理を実行することで、警告事象と判定される日数が経過するまで待つことなく、警告判定開始、終了、及び判定中において、警告事象に関する情報を外部機器（宅内操作器）やセンター（ガス事業者）に事前に通知することができるため、ガスの異常状態の予防、診断を行え、前もって安全対策を講ずることができる。
【００３１】
ここで、図４〜図１２に基づいて代表的な警告事象の例について説明する。
（１）電池電圧低下遮断
電池電圧低下遮断機能とは、電池電圧低下の警告を開始したときから４０日後にガスを遮断する機能である。また、電池電圧低下の警告中に何らかの遮断事象が発生した場合は、電池電圧低下遮断となる。このときの警告表示を図４に示す。
【００３２】
（２）流量式微少漏洩警告
流量式微少漏洩警告機能とは、ガスメータ１より下流側に３０日連続して微少なガス漏れがある場合、微少漏洩の疑いや口火の連続使用として警告表示を行う。例えば、図５（Ａ）において、ガスメータ１はＬＰガスボンベ５と燃焼器具（以下、ガス器具という）６とに接続されている。ガス器具６の方が下流側となり、ガスメータ１とガス器具６の入口との間の区間ｌで発生する微少なガス漏れｇを検出する。このときの警告表示を図５（Ｂ）に示す。
【００３３】
（３）口火登録
口火登録機能とは、口火を連続使用する消費者宅の口火をガスメータ１に登録させて流量式微少漏洩警告と区別させ、微少漏洩（ガス漏れｇ）の場合だけ警告表示させる機能である。例えば、図６（Ａ）において、ガスメータ１がガス器具６に接続された状態で、電文設定器７あるいは専用マグネット８を用いて登録する。これにより、口火の場合には警告表示せずに、図６（Ｂ）に示す口火表示を行い、微少漏洩（ガス漏れｇ）の場合には警告表示を行う。
【００３４】
（４）流量表示
流量表示機能は、ガスの使用状態を流量の大きさに対応して、図７に示す２種類の炎マークを表示する。図７において、ガスの使用が３Ｌ／ｈ以上になると炎マークが１つ連続点灯する。また、ガスの使用が６３Ｌ／ｈ以上になると炎マークが２つ連続点灯する。
【００３５】
（５）圧力監視機能
圧力監視機能は、図８（Ａ）において、ガスメータ１に圧力センサ１２ｃを内蔵し、調整器９の出口よりガス器具６の入口までの漏洩を常時監視して保安の向上を図るための機能である。また、圧力センサ１２ｃの内蔵により適正なガス圧力で供給されているか否かを合わせて監視する機能も備える。圧力監視機能としては、図８（Ｂ）に示すように、（ａ）圧力式微少漏洩警告、（ｂ）調整器の供給圧力異常警告（上限値異常警告、下限値異常警告）、（ｃ）調整器の閉塞圧力異常警告、（ｄ）供給圧力データ記憶、（ｅ）圧力低下遮断などが含まれる。
また、図８（Ａ）において、圧力センサ１２ｃを内蔵したガスメータ１はＬＰガスボンベ５とガス器具６とに接続されている。流量式微少漏洩の場合、ガスメータ１とガス器具６の入口との間の区間ｌで発生する微少なガス漏れを検出するのに対して、圧力式微少漏洩の場合、ガス器具６の入口と調整器９の出口との間の区間ｍで発生する微少なガス漏れを検出する。
【００３６】
（ａ）圧力式微少漏洩警告
圧力式微少漏洩警告機能は、ガスメータ１に内蔵された圧力センサ１２ｃにより、ガスを使用していない時に、調整器出口からガス器具入口までの供給管内の圧力を監視し、圧力に異常があった場合、微少漏洩警告を表示する機能である。ガス未使用中（流量２.８Ｌ／ｈ未満）に１５分毎に圧力を計測する。ガス使用停止直後の初回圧力値と１５分毎の計測圧力値の圧力差が、０.２ｋＰａ（所定値）以上の上昇が、３０日連続してなかった場合、微少漏洩として警告を行う。このときの警告表示を図９に示す。
【００３７】
（ｂ）調整器の供給圧力異常警告
供給圧力異常警告機能は、ガスメータ１に内蔵された圧力センサ１２ｃにより、ガスの使用中に調整器出口からガス器具入口までの圧力を監視し、供給圧力に異常があった場合に警告を行う機能である。これには上限値異常警告と下限値異常警告の２種類がある。前者の上限値異常警告は、ガスを使用中（２１Ｌ／ｈ以上）の流量変化（個別最大流量変化有り）毎に圧力を計測し、３０日以内に１５回以上３.３ｋＰａ（所定値）を超える圧力があった場合、異常として警告を行う。また、後者の下限値異常警告は、ガスを使用中（２１Ｌ／ｈ以上）の流量変化（個別最大流量変化有り）毎に圧力を計測し、３０日以内に１５回以上２.３ｋＰａ（所定値）未満の圧力があった場合、異常として警告を行う。このときの警告表示を図１０に示す。
【００３８】
（ｃ）調整器の閉塞圧力異常警告
閉塞圧力異常警告機能は、ガスメータ１に内蔵された圧力センサ１２ｃにより、ガスを使用していないときに、調整器の閉塞圧力を監視し、圧力に異常があった場合に警告を行う機能である。合計流量が５００Ｌ／ｈ以下から流量停止（２１Ｌ／ｈ未満）後の２分後の圧力を計測する。流量停止から２分後の圧力が３.５ｋＰａ（所定値）を超えることが３０日以内に１５回以上あった場合、異常として警告を行う。このときの警告表示を図１１に示す。
【００３９】
（ｄ）供給圧力データ記憶
供給圧力データ記憶機能は、ガスメータ１に内蔵された圧力センサ１２ｃにより、ガス流量に変化があった場合、圧力を計測して最大値、最小値のデータをガスメータ１に記憶する機能である。これらのデータにより供給設備が適正かどうかを確認することができる。なおデータは、通信端子を介して電文設定器を用いて確認でき、テスト遮断，漏洩検査開始時，強制再学習操作時にクリアされる。
【００４０】
（ｅ）圧力低下遮断
圧力低下遮断機能は、ガスメータ１に内蔵された圧力センサ１２ｃにより、メータ内の圧力の低下があった場合に遮断する機能である。メータ内のガス圧が０.６ｋＰａ±０.４ｋＰａ以下を検出したときに遮断する。このときの警告表示を図１２に示す。
【００４１】
本発明のガスメータ１の主たる特徴部分は、ガスの警告判定処理中に、その警告事象に関する情報を外部機器（宅内操作器）や外部ネットワークを通じてセンター（ガス事業者）に事前に通知することにある。これについて前述の（２）流量式微少漏洩警告の場合を例として説明する。
【００４２】
流量式微少漏洩警告は、ガスメータ１より下流側に３０日連続して微少なガス漏れがある場合、微少漏洩の疑いや口火の連続使用として警告表示する機能である。具体的には、下流側（ガス器具側）において１時間の間にガスの流量があり、その状態が３０日連続した場合に警告表示を行う。
【００４３】
例えば、ガスメータ１が、１時間の間にガスの流量があると判定すると、流量式微少漏洩警告の警告判定が開始される。警告判定処理が開始されると、端子台１５から外部（センター）へ警告判定開始情報が通知される。この警告判定開始情報には、警告判定開始の情報だけでなく、ガスメータ１が現在どの警告事象に該当して監視しているか等の情報も含まれる。そしてセンターは、この警告判定開始情報に基づいて、警告判定を開始したガスメータ１にアクセスし、現在の流量値、遮断設定値などのさらに詳細な情報を取得することもできる。
【００４４】
また、ガスメータ１は、警告判定開始後に所定条件に達すると、端子台１５からセンターへ警告判定中情報を通知する。ここで所定条件とは、例えば、ガスメータ１が警告判定開始と同時に起動する計時手段を具備し、所定期間経過後（例えば１０日後）に警告判定中情報をセンターへ通知するようにしてもよい。また、現在該当する警告事象の状態が変化した場合、例えば流量式微少漏洩警告の警告事象が無くなった場合にセンターへ通知するようにしてもよい。
【００４５】
また、流量値が上限値を超えた場合や下限値を下回った場合、圧力センサ等の圧力検出手段を具備するガスメータであれば、圧力値が所定回数上限値を超えた場合あるいは所定回数下限値を下回った場合や、警告判定終了前の１日前に通報する場合などに該当したときにセンターへ通報するようにしてもよい。これにより、センターでは前回の警告判定開始情報と警告判定中情報とを比較することも可能となる。また、警告判定中情報で判定中１，判定中２，・・・，判定中ｎのように情報を複数回数出力するようにしてもよい。
【００４６】
さらに、流量式微少漏洩警告の判定期間３０日が経過し、流量式微少漏洩警告と判定されると、判定終了後に警告判定終了情報がセンターへ通知される。
【００４７】
ガスメータ１は、流量式微少漏洩警告以外の警告にも対応することができる。圧力センサ等の圧力検出手段を具備する場合、圧力式微少漏洩警告や、供給圧力異常警告、閉塞圧力異常警告等に対応することができる。また、電池電圧検出センサ等の電池電圧検出手段を具備する場合、電池電圧低下遮断の警告にも対応できる。また、ガスの残量管理手段を具備する場合、残量不足警告など様々な警告についても対応することができる。
【００４８】
ここで、ガスメータ１が異常警告の判定を開始するタイミングで「警告判定開始情報」がセンターへ通知されると、センターは圧力値等のガスメータ状態を読み出し保存を行い、警告開始データとする。さらに、ガスメータ１より「警告判定中情報」がセンターへ数回通知された場合は、センターは圧力関連の異常と判定し、警告判定日数が経過して異常警告となる前に調査を行うことにより、事前に安全を確保することが出来る。
【００４９】
（処理例１）
（１）ガスメータ１が異常警告の判定を開始するタイミングで「警告判定開始情報」をセンターへ通知する。
（２）センターはガスメータ１から通知を受けると、ガスメータ１が取得している各種データ（圧力値等）を読み出して、これを警告開始データとする。
（３）ガスメータ１が警告判定中に「警告判定中情報」をセンターへ通知する。
（４）センターはガスメータ１から通知（任意回数）を受けると、異常事象と判定される日数が経過していなくても、異常事象となる可能性が高いと判定し、警告事象について調査を行う。
【００５０】
例えば、ガスメータ１より「警告判定中情報」がセンターへ通知され、その後、ガスメータ１より「警告判定終了情報」がセンターへ通知された場合には、警告判定日数が経過して異常警告となっていないが、何らかの原因で警告判定を繰り返し行っていることから、異常診断や、予防措置を行うことが出来る。
【００５１】
（処理例２）
（１）ガスメータ１が異常警告の判定を開始するタイミングで「警告判定開始情報」をセンターへ通知する。
（２）センターはガスメータ１から通知を受けると、ガスメータ１の各種データ（圧力値等）を読み出して、これを警告開始データとする。
（３）ガスメータ１が警告判定中に「警告判定中情報」をセンターへ通知する。
（４）センターはガスメータ１から通知（任意回数未満）を受けても、そのままなにもしない。
（５）ガスメータ１が警告判定終了時に「警告判定終了情報」をセンターへ通知する。
（６）センターはガスメータ１から通知を受けると、「警告判定中情報」の通知（任意回数未満）を受けているので、警告事象について調査を行う。
【００５２】
例えば、ガスメータ１は、ガスメータ１からガス器具の間で微少のガス漏洩が発生した場合、流量を検知すると同時にタイマーを起動させる。タイマー起動後、所定期間経過後にセンターへ現在の警告状態を出力する。この場合、流量式微少漏洩警告に該当する可能性があり、現在流量式微少漏洩警告判定中等の情報がセンター側へ配信される。さらに所定期間継続して微少の流量を検出し、最終的にガスメータ１が流量式微少漏洩警告と判定した場合には、流量式微少漏洩警告判定終了の情報がセンター側へ配信される。
【００５３】
以上説明したように、本発明によれば、ガス等の被測定流体の警告判定処理中に、その警告事象に関する情報を外部機器（宅内操作器）や外部ネットワークを通じてセンター（ガス事業者）に事前に通知できるため、ガスの異常状態の予防、診断が可能となり、事前に安全を確保することができる。
【００５４】
また、ガスメータの警告事象に関する情報が外部機器やセンターに事前に通知されることで、様々な警告事象に対応することができるため、ガス切れ防止や、安全確保などが可能となる。
【００５５】
また、警告事象と判定される日数が経過するまで待つことなく、警告判定開始、終了、及び判定中において、警告事象に関する情報を外部機器やセンターに事前に通知することができるため、ガスの異常状態の予防、診断を行え、前もって安全対策を講ずることができる。
【００５６】
また、宅内操作器等の屋内機器へ通知することにより、消費者宅の燃焼機器の異常を事前に知らせることができるため、異常事態に対する予防等の意識を促すことが出来る。
【００５７】
また、センターへの通知が正常に行われない場合においても、消費者宅への通知を行うことで、消費者からセンターへ通知することが可能となり、警告通知をより正確に伝えることができる。
【図面の簡単な説明】
【００５８】
【図１】本発明の一実施形態に係る流量計の構成例を示すブロック図である。
【図２】本発明に係るガスメータのネットワークの構成例を示す図である。
【図３】本発明のガスメータが備える警告判定報知機能を実行する際の処理の一例を説明するためのフロー図である。
【図４】本発明のガスメータで検出される警告事象の一例を説明するための図である。
【図５】本発明のガスメータで検出される警告事象の他の例を説明するための図である。
【図６】本発明のガスメータで検出される警告事象の他の例を説明するための図である。
【図７】本発明のガスメータで検出される警告事象の他の例を説明するための図である。
【図８】本発明のガスメータで検出される警告事象の他の例を説明するための図である。
【図９】本発明のガスメータで検出される警告事象の他の例を説明するための図である。
【図１０】本発明のガスメータで検出される警告事象の他の例を説明するための図である。
【図１１】本発明のガスメータで検出される警告事象の他の例を説明するための図である。
【図１２】本発明のガスメータで検出される警告事象の他の例を説明するための図である。
【符号の説明】
【００５９】
１…流量計（ガスメータ）、２…外部装置、３…電話交換網、４…センター（ガス事業者）、５…ＬＰガスボンベ、６…ガス器具、７…電文設定器、８…専用マグネット、９…調整器、１０…制御部、１０ａ…マイコン、１０ｂ…インタフェース、１０ｃ…電池、１０ｄ…テスト遮断スイッチ、１０ｅ…容器リセットスイッチ、１１…計量部、１１ａ…計量機能、１２…センサ部、１２ａ…電池電圧検出センサ、１２ｂ…流量センサ、１２ｃ…圧力センサ、１２ｄ…感震器、１３…表示部、１３ａ…積算表示機能、１３ｂ…セキュリティ表示機能、１４…遮断部、１４ａ…遮断弁、１４ｂ…遮断弁開スイッチ、１５…端子台、２１…宅内操作器、２２…ＮＣＵ、２３…ガス漏れ警報器、２４…外部１機器、２５…外部２機器。
【図１】
2008309616.tif 000003
【図２】
2008309616.tif 000004
【図３】
2008309616.tif 000005
【図４】
2008309616.tif 000006
【図５】
2008309616.tif 000007
【図６】
2008309616.tif 000008
【図７】
2008309616.tif 000009
【図８】
2008309616.tif 000010
【図９】
2008309616.tif 000011
【図１０】
2008309616.tif 000012
【図１１】
2008309616.tif 000013
【図１２】
2008309616.tif 000014